(57)【要約】      （修正有）【課題】化粧品の出し入れが便利な化粧ポーチを提供する。【解決手段】化粧ポーチは主体１３を含み、カバー３１を開けた時、動力ロッド２８を回転連動させ、前記動力ロッドが回転して第一引き紐により引きブロックを引き動かして上へ移動させ、補助ロッドによりスライドブロック１８を移動連動させ、置きチャンバ１１の中と推し動かし板１５の頂部にそれぞれ異なるタイプの化粧品を置くことができ、化粧品を分別して置き、出し入れにもっと便利であり、化粧ポーチを開けた時、推し動かし板を連動させて上へ移動させ、置き箱１２を連動させて水平方向に移動させることができ、それにより化粧品が明るいところに置かれ、見分けることと見つけ出すことが便利である。【選択図】図１
2020175067.tif 000002
【特許請求の範囲】
【請求項１】
主体を含み、前記主体の中には上方に開口した主体チャンバが設置され、前記主体チャンバの底壁の中には上方に開口したスライドチャンバが左右対称的に設置され、前記スライドチャンバの中にはスライドブロックがスライドできるように装着され、前記スライドブロックと前記スライドチャンバとの間には第一ばねが固定的に装着され、前記スライドブロックの前側端面には回転ロッドが固定的に装着され、前記回転ロッドには連結ロッドが回転できるように装着され、前記主体チャンバの前後内壁にはスライド溝が左右対称的に設置され、前記スライドロッドが前記スライド溝とスライドできるように装着され、前記スライドロッドが前記連結ロッドと回転できるように装着され、前記主体チャンバの中には推し動かし板がスライドできるように装着され、前記推し動かし板の底部端面には推し動かしブロックが左右対称的に固定的に装着され、前記推し動かしブロックが前記スライドロッドと固定的に装着され、化粧ポーチが開けられた時、左右の前記スライドブロックが互いに近づき、前記連結ロッドを連動させて上へ移動させ、それにより前記推し動かし板が上へ移動し、推し動かし板に置かれる化粧品を上へ推し動かし、左右の前記スライドチャンバの後側には動力チャンバが連通するように設置され、前記動力チャンバの中には前記スライドブロックの移動に動力を提供できる動力機構が設置され、前記動力機構は前記動力チャンバの中にスライドできるように装着される引きブロックを含み、前記引きブロックの頂部端面と前記動力チャンバの頂壁との間には前記推し動かし板の復帰に動力を提供する第二ばねが固定的に装着され、前記主体チャンバの左右両側の内壁には固定ブロックが固定的に装着され、前記固定ブロックの頂部端面には移動溝が設置され、前記移動溝には置き箱がスライドできるように装着され、前記置き箱の中には上方に開口し、且つ化粧品を置ける置きチャンバが設置され、前記固定ブロックの中には前記置き箱を連動させて左右へ移動させることができる移動機構が設置されることを特徴とする出し入れ便利な化粧ポーチ。
【請求項２】
前記動力機構はまた前記引きブロックに前後対称的に回転できるように装着される補助ロッドを含み、前記非補助ロッドと前記スライドブロックとが固定的に連結され、前記主体の頂部端面には上方に開口した補助チャンバが設置され、前記補助チャンバの左右内壁の間には動力ロッドが回転できるように装着され、前記動力ロッドにはカバーが固定的に装着され、前記カバーの中には下方に開口したカバーチャンバが設置され、前記動力ロッドと前記引きブロックとの間には第一引き紐が固定的に装着され、前記カバーを開けた時、前記動力ロッドを回転連動させ、前記動力ロッドが回転して前記第一引き紐により前記引きブロックを引き動かして上へ移動させ、前記補助ロッドにより前記スライドブロックを移動連動させることを特徴とする請求項１に記載の出し入れ便利な化粧ポーチ。
【請求項３】
前記移動機構は前記固定ブロックの底部端面に設置されるばねチャンバを含み、前記ばねチャンバの中には引っかかりブロックがスライドできるように装着され、前記引っかかりブロックの頂部端面と前記ばねチャンバの頂壁との間には第三ばねが固定的に装着され、前記推し動かし板の頂部端面には引っ掛かり溝が左右対称的に設置され、前記引っ掛かり溝が前記引っかかりブロックと植設され、前記固定ブロックの底部端面にはラックチャンバが設置され、前記ラックチャンバの中にはラックがスライドできるように装着され、前記ラックと前記推し動かし板とが固定的に連結され、前記ラックチャンバには噛み合いチャンバが連通するように設置され、前記噛み合いチャンバの前後内壁の間にはギヤロッドが回転できるように装着され、前記ギヤロッドにはギヤが固定的に装着され、前記ギヤが前記ラックと噛み合い、前記噛み合いチャンバのうち前記ギヤの前側に位置するところには回転盤が固定的に装着され、前記噛み合いチャンバの上方には引き紐チャンバが連通するように設置され、前記引き紐チャンバの前後内壁の間には糸巻きロッドが回転できるように装着され、前記糸巻きロッドにはリールが固定的に装着され、前記引き紐チャンバにはギヤブロックチャンバが連通するように設置され、前記ギヤブロックチャンバの中にはギヤブロックがスライドできるように装着され、前記ギヤブロックと前記回転盤との間には前記リールを避けて通った第二引き紐が固定的に装着され、前記ギヤブロックの頂部端面が前記置き箱の底部端面と噛み合い、前記置き箱の中にはリミットロッドが左右対称的に固定的に装着され、前記移動溝にはリミット溝が前後に連通するように設置され、前記リミット溝が前記リミットロッドとスライドできるように装着され、前記推し動かし板が上下に移動する時、前記ラックを連動させて上下へ移動させ、それにより前記ギヤを回転させ、前記ギヤが回転して前記ギヤロッドと前記回転盤とを回転連動させ、前記第二引き紐により前記ギヤブロックを引き動かして左右へ移動させ、それにより前記置き箱が左右に移動することを特徴とする請求項１に記載の出し入れ便利な化粧ポーチ。
【発明の詳細な説明】
【技術分野】
【０００１】
本発明は化粧ポーチ分野に関わり、具体的には出し入れ便利な化粧ポーチである。
【背景技術】
【０００２】
普通の化粧ポーチは全部の化粧品を混ぜて一緒に収納するので、特定の化粧品を取り出す時に時間がかなりかかり、化粧品を分別して保存することができなく、普通の化粧ポーチを開ける時、化粧品を化粧ポーチから送り出すころができなく、それで底部に置かれる化粧品があまり見えなく、見分けにくい。
【先行技術文献】
【特許文献】
【０００３】
【特許文献１】中国特許出願公開第１０８４５１１２７号明細書
【発明の概要】
【発明が解決しようとする課題】
【０００４】
本発明は出し入れ便利な化粧ポーチを提供し、既存技術にある上記の欠点を解消することを目的とする。
【課題を解決するための手段】
【０００５】
本発明の出し入れ便利な化粧ポーチは、主体を含み、前記主体の中には上方に開口した主体チャンバが設置され、前記主体チャンバの底壁の中には上方に開口したスライドチャンバが左右対称的に設置され、前記スライドチャンバの中にはスライドブロックがスライドできるように装着され、前記スライドブロックと前記スライドチャンバとの間には第一ばねが固定的に装着され、前記スライドブロックの前側端面には回転ロッドが固定的に装着され、前記回転ロッドには連結ロッドが回転できるように装着され、前記主体チャンバの前後内壁にはスライド溝が左右対称的に設置され、前記スライドロッドが前記スライド溝とスライドできるように装着され、前記スライドロッドが前記連結ロッドと回転できるように装着され、前記主体チャンバの中には推し動かし板がスライドできるように装着され、前記推し動かし板の底部端面には推し動かしブロックが左右対称的に固定的に装着され、前記推し動かしブロックが前記スライドロッドと固定的に装着され、化粧ポーチが開けられた時、左右の前記スライドブロックが互いに近づき、前記連結ロッドを連動させて上へ移動させ、それにより前記推し動かし板が上へ移動し、推し動かし板に置かれる化粧品を上へ推し動かし、左右の前記スライドチャンバの後側には動力チャンバが連通するように設置され、前記動力チャンバの中には前記スライドブロックの移動に動力を提供できる動力機構が設置され、前記動力機構は前記動力チャンバの中にスライドできるように装着される引きブロックを含み、前記引きブロックの頂部端面と前記動力チャンバの頂壁との間には前記推し動かし板の復帰に動力を提供する第二ばねが固定的に装着され、前記主体チャンバの左右両側の内壁には固定ブロックが固定的に装着され、前記固定ブロックの頂部端面には移動溝が設置され、前記移動溝には置き箱がスライドできるように装着され、前記置き箱の中には上方に開口し、且つ化粧品を置ける置きチャンバが設置され、前記固定ブロックの中には前記置き箱を連動させて左右へ移動させることができる移動機構が設置される。
【０００６】
さらなる技術プランには、前記動力機構はまた前記引きブロックに前後対称的に回転できるように装着される補助ロッドを含み、前記非補助ロッドと前記スライドブロックとが固定的に連結され、前記主体の頂部端面には上方に開口した補助チャンバが設置され、前記補助チャンバの左右内壁の間には動力ロッドが回転できるように装着され、前記動力ロッドにはカバーが固定的に装着され、前記カバーの中には下方に開口したカバーチャンバが設置され、前記動力ロッドと前記引きブロックとの間には第一引き紐が固定的に装着される。
【０００７】
さらなる技術プランには、前記移動機構は前記固定ブロックの底部端面に設置されるばねチャンバを含み、前記ばねチャンバの中には引っかかりブロックがスライドできるように装着され、前記引っかかりブロックの頂部端面と前記ばねチャンバの頂壁との間には第三ばねが固定的に装着され、前記推し動かし板の頂部端面には引っ掛かり溝が左右対称的に設置され、前記引っ掛かり溝が前記引っかかりブロックと植設され、前記固定ブロックの底部端面にはラックチャンバが設置され、前記ラックチャンバの中にはラックがスライドできるように装着され、前記ラックと前記推し動かし板とが固定的に連結され、前記ラックチャンバには噛み合いチャンバが連通するように設置され、前記噛み合いチャンバの前後内壁の間にはギヤロッドが回転できるように装着され、前記ギヤロッドにはギヤが固定的に装着され、前記ギヤが前記ラックと噛み合い、前記噛み合いチャンバのうち前記ギヤの前側に位置するところには回転盤が固定的に装着され、前記噛み合いチャンバの上方には引き紐チャンバが連通するように設置され、前記引き紐チャンバの前後内壁の間には糸巻きロッドが回転できるように装着され、前記糸巻きロッドにはリールが固定的に装着され、前記引き紐チャンバにはギヤブロックチャンバが連通するように設置され、前記ギヤブロックチャンバの中にはギヤブロックがスライドできるように装着され、前記ギヤブロックと前記回転盤との間には前記リールを避けて通った第二引き紐が固定的に装着され、前記ギヤブロックの頂部端面が前記置き箱の底部端面と噛み合い、前記置き箱の中にはリミットロッドが左右対称的に固定的に装着され、前記移動溝にはリミット溝が前後に連通するように設置され、前記リミット溝が前記リミットロッドとスライドできるように装着される。
【発明の効果】
【０００８】
本発明の有益な効果は：本発明の置きチャンバの中と推し動かし板の頂部にそれぞれ異なるタイプの化粧品を置くことができ、化粧品を分別して置き、出し入れにもっと便利であり、化粧ポーチを開けた時、推し動かし板を連動させて上へ移動させ、置き箱を連動させて水平方向に移動させることができ、それにより化粧品が明るいところに置かれ、見分けることと見つけ出すことが便利であり、普及する価値がある。
【図面の簡単な説明】
【０００９】
【図１】図１は本発明の出し入れ便利な化粧ポーチの構成模式図
【図２】図２は図１の中の「Ａ−Ａ」方向の断面構成概略図
【図３】図３は図１の中のＢの拡大概略図
【発明を実施するための形態】
【００１０】
次に図１−３を合わせて本発明を詳しく説明し、意思の疎通にもっと便利なため、後文に出る方位を以下の通りに規定する：後文に出る上下左右前後の方向は図１自体の投影関係の上下左右前後の方向と一致している。
【００１１】
図１−３を参照して、本発明の出し入れ便利な化粧ポーチは、主体１３を含み、前記主体１３の中には上方に開口した主体チャンバ１６が設置され、前記主体チャンバ１６の底壁の中には上方に開口したスライドチャンバ１７が左右対称的に設置され、前記スライドチャンバ１７の中にはスライドブロック１８がスライドできるように装着され、前記スライドブロック１８と前記スライドチャンバ１７との間には第一ばね２１が固定的に装着され、前記スライドブロック１８の前側端面には回転ロッド１９が固定的に装着され、前記回転ロッド１９には連結ロッド２０が回転できるように装着され、前記主体チャンバ１６の前後内壁にはスライド溝２２が左右対称的に設置され、前記スライドロッド２３が前記スライド溝２２とスライドできるように装着され、前記スライドロッド２３が前記連結ロッド２０と回転できるように装着され、前記主体チャンバ１６の中には推し動かし板１５がスライドできるように装着され、前記推し動かし板１５の底部端面には推し動かしブロック２４が左右対称的に固定的に装着され、前記推し動かしブロック２４が前記スライドロッド２３と固定的に装着され、化粧ポーチが開けられた時、左右の前記スライドブロック１８が互いに近づき、前記連結ロッド２０を連動させて上へ移動させ、それにより前記推し動かし板１５が上へ移動し、推し動かし板１５に置かれる化粧品を上へ推し動かし、左右の前記スライドチャンバ１７の後側には動力チャンバ３５が連通するように設置され、前記動力チャンバ３５の中には前記スライドブロック１８の移動に動力を提供できる動力機構８０が設置され、前記動力機構８０は前記動力チャンバ３５の中にスライドできるように装着される引きブロック３６を含み、前記引きブロック３６の頂部端面と前記動力チャンバ３５の頂壁との間には前記推し動かし板１５の復帰に動力を提供する第二ばね３４が固定的に装着され、前記主体チャンバ１６の左右両側の内壁には固定ブロック２７が固定的に装着され、前記固定ブロック２７の頂部端面には移動溝５１が設置され、前記移動溝５１には置き箱１２がスライドできるように装着され、前記置き箱１２の中には上方に開口し、且つ化粧品を置ける置きチャンバ１１が設置され、前記固定ブロック２７の中には前記置き箱１２を連動させて左右へ移動させることができる移動機構９０が設置される。
【００１２】
前記動力機構８０はまた前記引きブロック３６に前後対称的に回転できるように装着される補助ロッド３７を含み、前記非補助ロッド３７と前記スライドブロック１８とが固定的に連結され、前記主体１３の頂部端面には上方に開口した補助チャンバ３２が設置され、前記補助チャンバ３２の左右内壁の間には動力ロッド２８が回転できるように装着され、前記動力ロッド２８にはカバー３１が固定的に装着され、前記カバー３１の中には下方に開口したカバーチャンバ２９が設置され、前記動力ロッド２８と前記引きブロック３６との間には第一引き紐３３が固定的に装着され、それによりカバー３１を開けた時、動力ロッド２８を回転連動させ、動力ロッド２８が回転して第一引き紐３３により引きブロック３６を引き動かして上へ移動させ、補助ロッド３７によりスライドブロック１８を移動連動させる。
【００１３】
前記移動機構９０は前記固定ブロック２７の底部端面に設置されるばねチャンバ４７を含み、前記ばねチャンバ４７の中には引っかかりブロック２５がスライドできるように装着され、前記引っかかりブロック２５の頂部端面と前記ばねチャンバ４７の頂壁との間には第三ばね４８が固定的に装着され、前記推し動かし板１５の頂部端面には引っ掛かり溝１４が左右対称的に設置され、前記引っ掛かり溝１４が前記引っかかりブロック２５と植設され、前記固定ブロック２７の底部端面にはラックチャンバ４６が設置され、前記ラックチャンバ４６の中にはラック２６がスライドできるように装着され、前記ラック２６と前記推し動かし板１５とが固定的に連結され、前記ラックチャンバ４６には噛み合いチャンバ４５が連通するように設置され、前記噛み合いチャンバ４５の前後内壁の間にはギヤロッド４２が回転できるように装着され、前記ギヤロッド４２にはギヤ４４が固定的に装着され、前記ギヤ４４が前記ラック２６と噛み合い、前記噛み合いチャンバ４５のうち前記ギヤ４４の前側に位置するところには回転盤４３が固定的に装着され、前記噛み合いチャンバ４５の上方には引き紐チャンバ４０が連通するように設置され、前記引き紐チャンバ４０の前後内壁の間には糸巻きロッド３８が回転できるように装着され、前記糸巻きロッド３８にはリール３９が固定的に装着され、前記引き紐チャンバ４０にはギヤブロックチャンバ５３が連通するように設置され、前記ギヤブロックチャンバ５３の中にはギヤブロック４９がスライドできるように装着され、前記ギヤブロック４９と前記回転盤４３との間には前記リール３９を避けて通った第二引き紐４１が固定的に装着され、前記ギヤブロック４９の頂部端面が前記置き箱１２の底部端面と噛み合い、前記置き箱１２の中にはリミットロッド５０が左右対称的に固定的に装着され、前記移動溝５１にはリミット溝５２が前後に連通するように設置され、前記リミット溝５２が前記リミットロッド５０とスライドできるように装着され、それにより推し動かし板１５が上下に移動する時、ラック２６を連動させて上下へ移動させ、それによりギヤ４４を回転させ、ギヤ４４が回転してギヤロッド４２と回転盤４３とを回転連動させ、第二引き紐４１によりギヤブロック４９を引き動かして左右へ移動させ、それにより置き箱１２が左右に移動する。
【００１４】
使用する時、カバー３１を開ける時、動力ロッド２８を回転連動させ、動力ロッド２８が回転して第一引き紐３３により引きブロック３６を引き動かして上へ移動させ、補助ロッド３７によりスライドブロック１８を移動連動させ、左右の前記スライドブロック１８が互いに近づき、前記連結ロッド２０を連動させて上へ移動させ、それにより前記推し動かし板１５が上へ移動し、推し動かし板１５に置かれる化粧品を上へ推し動かし、推し動かし板１５が上下に移動する時、ラック２６を連動させて上下へ移動させ、それによりギヤ４４を回転させ、ギヤ４４が回転してギヤロッド４２と回転盤４３とを回転連動させ、第二引き紐４１によりギヤブロック４９を引き動かして左右へ移動させ、それにより置き箱１２が左右に移動する。
【００１５】
本発明の有益な効果は：本発明の置きチャンバの中と推し動かし板の頂部にそれぞれ異なるタイプの化粧品を置くことができ、化粧品を分別して置き、出し入れにもっと便利であり、化粧ポーチを開けた時、推し動かし板を連動させて上へ移動させ、置き箱を連動させて水平方向に移動させることができ、それにより化粧品が明るいところに置かれ、見分けることと見つけ出すことが便利であり、普及する価値がある。
【００１６】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020175067.tif 000003
【図２】
2020175067.tif 000004
【図３】
2020175067.tif 000005
【手続補正書】
【提出日】令和2年3月20日(2020.3.20)
【手続補正１】
【補正対象書類名】特許請求の範囲
【補正対象項目名】全文
【補正方法】変更
【補正の内容】
【特許請求の範囲】
【請求項１】
主体を含み、前記主体の中には上方に開口した主体チャンバが設置され、前記主体チャンバの底壁の中には上方に開口したスライドチャンバが左右対称的に設置され、前記スライドチャンバの中にはスライドブロックがスライドできるように装着され、前記スライドブロックと前記スライドチャンバとの間には第一ばねが固定的に装着され、前記スライドブロックの前側端面には回転ロッドが固定的に装着され、前記回転ロッドには連結ロッドが回転できるように装着され、前記主体チャンバの前後内壁にはスライド溝が左右対称的に設置され、前記スライドロッドが前記スライド溝の内部にスライド可能に装着され、前記スライドロッドが前記連結ロッドと回転できるように装着され、前記主体チャンバの中には推し動かし板がスライドできるように装着され、前記推し動かし板の底部端面には推し動かしブロックが左右対称的に固定的に装着され、前記推し動かしブロックが前記スライドロッドと固定的に装着され、化粧ポーチが開けられた時、左右の前記スライドブロックが互いに近づき、前記連結ロッドを連動させて上へ移動させ、それにより前記推し動かし板が上へ移動し、推し動かし板に置かれる化粧品を上へ推し動かし、左右の前記スライドチャンバの後側には動力チャンバが連通するように設置され、前記動力チャンバの中には前記スライドブロックの移動に動力を提供できる動力機構が設置され、前記動力機構は前記動力チャンバの中にスライドできるように装着される引きブロックを含み、前記引きブロックの頂部端面と前記動力チャンバの頂壁との間には前記推し動かし板の復帰に動力を提供する第二ばねが固定的に装着され、前記主体チャンバの左右両側の内壁には固定ブロックが固定的に装着され、前記固定ブロックの頂部端面には移動溝が設置され、前記移動溝には置き箱がスライドできるように装着され、前記置き箱の中には上方に開口し、且つ化粧品を置ける置きチャンバが設置され、前記固定ブロックの中には前記置き箱を連動させて左右へ移動させることができ、
前記動力機構はまた前記引きブロックに前後対称的に回転できるように装着される補助ロッドを含み、前記補助ロッドと前記スライドブロックとが固定的に連結され、前記主体の頂部端面には上方に開口した補助チャンバが設置され、前記補助チャンバの左右内壁の間には動力ロッドが回転できるように装着され、前記動力ロッドには前記主体の上側に位置するカバーが固定的に装着され、前記カバーの中には下方に開口したカバーチャンバが設置され、前記動力ロッドと前記引きブロックとの間には第一引き紐が固定的に装着され、前記カバーを開けた時、前記動力ロッドを回転連動させ、前記動力ロッドが回転して前記第一引き紐により前記引きブロックを引き動かして上へ移動させ、前記補助ロッドにより前記スライドブロックを移動連動させ、
前記移動機構は前記固定ブロックの底部端面に設置されるばねチャンバを含み、前記ばねチャンバの中には引っかかりブロックがスライドできるように装着され、前記引っかかりブロックの頂部端面と前記ばねチャンバの頂壁との間には第三ばねが固定的に装着され、前記推し動かし板の頂部端面には引っ掛かり溝が左右対称的に設置され、前記引っ掛かり溝が前記引っかかりブロックとスライド可能に連結され、前記固定ブロックの底部端面にはラックチャンバが設置され、前記ラックチャンバの中にはラックがスライドできるように装着され、前記ラックと前記推し動かし板とが固定的に連結され、前記ラックチャンバには噛み合いチャンバが連通するように設置され、前記噛み合いチャンバの前後内壁の間にはギヤロッドが回転できるように装着され、前記ギヤロッドにはギヤが固定的に装着され、前記ギヤが前記ラックと噛み合い、前記噛み合いチャンバのうち前記ギヤの前側に位置するところには回転盤が固定的に装着され、前記噛み合いチャンバの上方には引き紐チャンバが連通するように設置され、前記引き紐チャンバの前後内壁の間には糸巻きロッドが回転できるように装着され、前記糸巻きロッドにはリールが固定的に装着され、前記引き紐チャンバにはギヤブロックチャンバが連通するように設置され、前記ギヤブロックチャンバの中にはギヤブロックがスライドできるように装着され、前記ギヤブロックと前記回転盤との間には前記リールとスライド可能に連結された第二引き紐が固定的に装着され、前記ギヤブロックの頂部端面が前記置き箱の底部端面と噛み合い、前記置き箱の前後両側端面にはリミットロッドが左右対称的に固定的に装着され、前記移動溝にはリミット溝が前後に連通するように設置され、前記リミット溝が前記リミットロッドとスライドできるように装着され、前記推し動かし板が上下に移動する時、前記ラックを連動させて上下へ移動させ、それにより前記ギヤを回転させ、前記ギヤが回転して前記ギヤロッドと前記回転盤とを回転連動させ、前記第二引き紐により前記ギヤブロックを引き動かして左右へ移動させ、それにより前記置き箱が左右に移動することを特徴とする出し入れ便利な化粧ポーチ。
【手続補正２】
【補正対象書類名】明細書
【補正対象項目名】全文
【補正方法】変更
【補正の内容】
【発明の詳細な説明】
【技術分野】
【０００１】
本発明は化粧ポーチ分野に関わり、具体的には出し入れ便利な化粧ポーチである。
【背景技術】
【０００２】
普通の化粧ポーチは全部の化粧品を混ぜて一緒に収納するので、特定の化粧品を取り出す時に時間がかなりかかり、化粧品を分別して保存することができなく、普通の化粧ポーチを開ける時、化粧品を化粧ポーチから送り出すころができなく、それで底部に置かれる化粧品があまり見えなく、見分けにくい。
【先行技術文献】
【特許文献】
【０００３】
【特許文献１】中国特許出願公開第１０８４５１１２７号明細書
【発明の概要】
【発明が解決しようとする課題】
【０００４】
本発明は出し入れ便利な化粧ポーチを提供し、既存技術にある上記の欠点を解消することを目的とする。
【課題を解決するための手段】
【０００５】
本発明の出し入れ便利な化粧ポーチは、主体を含み、前記主体の中には上方に開口した主体チャンバが設置され、前記主体チャンバの底壁の中には上方に開口したスライドチャンバが左右対称的に設置され、前記スライドチャンバの中にはスライドブロックがスライドできるように装着され、前記スライドブロックと前記スライドチャンバとの間には第一ばねが固定的に装着され、前記スライドブロックの前側端面には回転ロッドが固定的に装着され、前記回転ロッドには連結ロッドが回転できるように装着され、前記主体チャンバの前後内壁にはスライド溝が左右対称的に設置され、前記スライドロッドが前記スライド溝の内部にスライド可能に装着され、前記スライドロッドが前記連結ロッドと回転できるように装着され、前記主体チャンバの中には推し動かし板がスライドできるように装着され、前記推し動かし板の底部端面には推し動かしブロックが左右対称的に固定的に装着され、前記推し動かしブロックが前記スライドロッドと固定的に装着され、化粧ポーチが開けられた時、左右の前記スライドブロックが互いに近づき、前記連結ロッドを連動させて上へ移動させ、それにより前記推し動かし板が上へ移動し、推し動かし板に置かれる化粧品を上へ推し動かし、左右の前記スライドチャンバの後側には動力チャンバが連通するように設置され、前記動力チャンバの中には前記スライドブロックの移動に動力を提供できる動力機構が設置され、前記動力機構は前記動力チャンバの中にスライドできるように装着される引きブロックを含み、前記引きブロックの頂部端面と前記動力チャンバの頂壁との間には前記推し動かし板の復帰に動力を提供する第二ばねが固定的に装着され、前記主体チャンバの左右両側の内壁には固定ブロックが固定的に装着され、前記固定ブロックの頂部端面には移動溝が設置され、前記移動溝には置き箱がスライドできるように装着され、前記置き箱の中には上方に開口し、且つ化粧品を置ける置きチャンバが設置され、前記固定ブロックの中には前記置き箱を連動させて左右へ移動させることができる移動機構が設置される。
【０００６】
さらなる技術プランには、前記動力機構はまた前記引きブロックに前後対称的に回転できるように装着される補助ロッドを含み、前記補助ロッドと前記スライドブロックとが固定的に連結され、前記主体の頂部端面には上方に開口した補助チャンバが設置され、前記補助チャンバの左右内壁の間には動力ロッドが回転できるように装着され、前記動力ロッドには前記主体の上側に位置するカバーが固定的に装着され、前記カバーの中には下方に開口したカバーチャンバが設置され、前記動力ロッドと前記引きブロックとの間には第一引き紐が固定的に装着される。
【０００７】
さらなる技術プランには、前記移動機構は前記固定ブロックの底部端面に設置されるばねチャンバを含み、前記ばねチャンバの中には引っかかりブロックがスライドできるように装着され、前記引っかかりブロックの頂部端面と前記ばねチャンバの頂壁との間には第三ばねが固定的に装着され、前記推し動かし板の頂部端面には引っ掛かり溝が左右対称的に設置され、前記引っ掛かり溝が前記引っかかりブロックとスライド可能に連結され、前記固定ブロックの底部端面にはラックチャンバが設置され、前記ラックチャンバの中にはラックがスライドできるように装着され、前記ラックと前記推し動かし板とが固定的に連結され、前記ラックチャンバには噛み合いチャンバが連通するように設置され、前記噛み合いチャンバの前後内壁の間にはギヤロッドが回転できるように装着され、前記ギヤロッドにはギヤが固定的に装着され、前記ギヤが前記ラックと噛み合い、前記噛み合いチャンバのうち前記ギヤの前側に位置するところには回転盤が固定的に装着され、前記噛み合いチャンバの上方には引き紐チャンバが連通するように設置され、前記引き紐チャンバの前後内壁の間には糸巻きロッドが回転できるように装着され、前記糸巻きロッドにはリールが固定的に装着され、前記引き紐チャンバにはギヤブロックチャンバが連通するように設置され、前記ギヤブロックチャンバの中にはギヤブロックがスライドできるように装着され、前記ギヤブロックと前記回転盤との間には前記リールとスライド可能に連結された第二引き紐が固定的に装着され、前記ギヤブロックの頂部端面が前記置き箱の底部端面と噛み合い、前記置き箱の前後両側端面にはリミットロッドが左右対称的に固定的に装着され、前記移動溝にはリミット溝が前後に連通するように設置され、前記リミット溝が前記リミットロッドとスライドできるように装着される。
【発明の効果】
【０００８】
本発明の有益な効果は：本発明の置きチャンバの中と推し動かし板の頂部にそれぞれ異なるタイプの化粧品を置くことができ、化粧品を分別して置き、出し入れにもっと便利であり、化粧ポーチを開けた時、推し動かし板を連動させて上へ移動させ、置き箱を連動させて水平方向に移動させることができ、それにより化粧品が明るいところに置かれ、見分けることと見つけ出すことが便利であり、普及する価値がある。
【図面の簡単な説明】
【０００９】
【図１】図１は本発明の出し入れ便利な化粧ポーチの構成模式図
【図２】図２は図１の中の「Ａ−Ａ」方向の断面構成概略図
【図３】図３は図１の中のＢの拡大概略図
【発明を実施するための形態】
【００１０】
次に図１−３を合わせて本発明を詳しく説明し、意思の疎通にもっと便利なため、後文に出る方位を以下の通りに規定する：後文に出る上下左右前後の方向は図１自体の投影関係の上下左右前後の方向と一致している。
【００１１】
図１−３を参照して、本発明の出し入れ便利な化粧ポーチは、主体１３を含み、前記主体１３の中には上方に開口した主体チャンバ１６が設置され、前記主体チャンバ１６の底壁の中には上方に開口したスライドチャンバ１７が左右対称的に設置され、前記スライドチャンバ１７の中にはスライドブロック１８がスライドできるように装着され、前記スライドブロック１８と前記スライドチャンバ１７との間には第一ばね２１が固定的に装着され、前記スライドブロック１８の前側端面には回転ロッド１９が固定的に装着され、前記回転ロッド１９には連結ロッド２０が回転できるように装着され、前記主体チャンバ１６の前後内壁にはスライド溝２２が左右対称的に設置され、前記スライドロッド２３が前記スライド溝２２の内部にスライド可能に装着され、前記スライドロッド２３が前記連結ロッド２０と回転できるように装着され、前記主体チャンバ１６の中には推し動かし板１５がスライドできるように装着され、前記推し動かし板１５の底部端面には推し動かしブロック２４が左右対称的に固定的に装着され、前記推し動かしブロック２４が前記スライドロッド２３と固定的に装着され、化粧ポーチが開けられた時、左右の前記スライドブロック１８が互いに近づき、前記連結ロッド２０を連動させて上へ移動させ、それにより前記推し動かし板１５が上へ移動し、推し動かし板１５に置かれる化粧品を上へ推し動かし、左右の前記スライドチャンバ１７の後側には動力チャンバ３５が連通するように設置され、前記動力チャンバ３５の中には前記スライドブロック１８の移動に動力を提供できる動力機構８０が設置され、前記動力機構８０は前記動力チャンバ３５の中にスライドできるように装着される引きブロック３６を含み、前記引きブロック３６の頂部端面と前記動力チャンバ３５の頂壁との間には前記推し動かし板１５の復帰に動力を提供する第二ばね３４が固定的に装着され、前記主体チャンバ１６の左右両側の内壁には固定ブロック２７が固定的に装着され、前記固定ブロック２７の頂部端面には移動溝５１が設置され、前記移動溝５１には置き箱１２がスライドできるように装着され、前記置き箱１２の中には上方に開口し、且つ化粧品を置ける置きチャンバ１１が設置され、前記固定ブロック２７の中には前記置き箱１２を連動させて左右へ移動させることができる移動機構９０が設置される。
【００１２】
前記動力機構８０はまた前記引きブロック３６に前後対称的に回転できるように装着される補助ロッド３７を含み、前記補助ロッド３７と前記スライドブロック１８とが固定的に連結され、前記主体１３の頂部端面には上方に開口した補助チャンバ３２が設置され、前記補助チャンバ３２の左右内壁の間には動力ロッド２８が回転できるように装着され、前記動力ロッド２８には前記主体の上側に位置するカバー３１が固定的に装着され、前記カバー３１の中には下方に開口したカバーチャンバ２９が設置され、前記動力ロッド２８と前記引きブロック３６との間には第一引き紐３３が固定的に装着され、それによりカバー３１を開けた時、動力ロッド２８を回転連動させ、動力ロッド２８が回転して第一引き紐３３により引きブロック３６を引き動かして上へ移動させ、補助ロッド３７によりスライドブロック１８を移動連動させる。
【００１３】
前記移動機構９０は前記固定ブロック２７の底部端面に設置されるばねチャンバ４７を含み、前記ばねチャンバ４７の中には引っかかりブロック２５がスライドできるように装着され、前記引っかかりブロック２５の頂部端面と前記ばねチャンバ４７の頂壁との間には第三ばね４８が固定的に装着され、前記推し動かし板１５の頂部端面には引っ掛かり溝１４が左右対称的に設置され、前記引っ掛かり溝１４が前記引っかかりブロック２５とスライド可能に連結され、前記固定ブロック２７の底部端面にはラックチャンバ４６が設置され、前記ラックチャンバ４６の中にはラック２６がスライドできるように装着され、前記ラック２６と前記推し動かし板１５とが固定的に連結され、前記ラックチャンバ４６には噛み合いチャンバ４５が連通するように設置され、前記噛み合いチャンバ４５の前後内壁の間にはギヤロッド４２が回転できるように装着され、前記ギヤロッド４２にはギヤ４４が固定的に装着され、前記ギヤ４４が前記ラック２６と噛み合い、前記噛み合いチャンバ４５のうち前記ギヤ４４の前側に位置するところには回転盤４３が固定的に装着され、前記噛み合いチャンバ４５の上方には引き紐チャンバ４０が連通するように設置され、前記引き紐チャンバ４０の前後内壁の間には糸巻きロッド３８が回転できるように装着され、前記糸巻きロッド３８にはリール３９が固定的に装着され、前記引き紐チャンバ４０にはギヤブロックチャンバ５３が連通するように設置され、前記ギヤブロックチャンバ５３の中にはギヤブロック４９がスライドできるように装着され、前記ギヤブロック４９と前記回転盤４３との間には前記リール３９とスライド可能に連結された第二引き紐４１が固定的に装着され、前記ギヤブロック４９の頂部端面が前記置き箱１２の底部端面と噛み合い、前記置き箱１２の前後両側端面にはリミットロッド５０が左右対称的に固定的に装着され、前記移動溝５１にはリミット溝５２が前後に連通するように設置され、前記リミット溝５２が前記リミットロッド５０とスライドできるように装着され、それにより推し動かし板１５が上下に移動する時、ラック２６を連動させて上下へ移動させ、それによりギヤ４４を回転させ、ギヤ４４が回転してギヤロッド４２と回転盤４３とを回転連動させ、第二引き紐４１によりギヤブロック４９を引き動かして左右へ移動させ、それにより置き箱１２が左右に移動する。
【００１４】
使用する時、カバー３１を開ける時、動力ロッド２８を回転連動させ、動力ロッド２８が回転して第一引き紐３３により引きブロック３６を引き動かして上へ移動させ、補助ロッド３７によりスライドブロック１８を移動連動させ、左右の前記スライドブロック１８が互いに近づき、前記連結ロッド２０を連動させて上へ移動させ、それにより前記推し動かし板１５が上へ移動し、推し動かし板１５に置かれる化粧品を上へ推し動かし、推し動かし板１５が上下に移動する時、ラック２６を連動させて上下へ移動させ、それによりギヤ４４を回転させ、ギヤ４４が回転してギヤロッド４２と回転盤４３とを回転連動させ、第二引き紐４１によりギヤブロック４９を引き動かして左右へ移動させ、それにより置き箱１２が左右に移動する。
【００１５】
本発明の有益な効果は：本発明の置きチャンバの中と推し動かし板の頂部にそれぞれ異なるタイプの化粧品を置くことができ、化粧品を分別して置き、出し入れにもっと便利であり、化粧ポーチを開けた時、推し動かし板を連動させて上へ移動させ、置き箱を連動させて水平方向に移動させることができ、それにより化粧品が明るいところに置かれ、見分けることと見つけ出すことが便利であり、普及する価値がある。
【００１６】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【手続補正書】
【提出日】令和2年6月16日(2020.6.16)
【手続補正１】
【補正対象書類名】特許請求の範囲
【補正対象項目名】全文
【補正方法】変更
【補正の内容】
【特許請求の範囲】
【請求項１】
主体を含み、前記主体の中には上方に開口した主体チャンバが設置され、前記主体チャンバの底壁の中には上方に開口したスライドチャンバが左右対称的に設置され、前記スライドチャンバの中にはスライドブロックがスライドできるように装着され、前記スライドブロックと前記スライドチャンバとの間には第一ばねが固定的に装着され、前記スライドブロックの前側端面には回転ロッドが固定的に装着され、前記回転ロッドには連結ロッドが回転できるように装着され、前記主体チャンバの前後内壁にはスライド溝が左右対称的に設置され、前記スライドロッドが前記スライド溝の内部にスライド可能に装着され、前記スライドロッドが前記連結ロッドと回転できるように装着され、前記主体チャンバの中には推し動かし板がスライドできるように装着され、前記推し動かし板の底部端面には推し動かしブロックが左右対称的に固定的に装着され、前記推し動かしブロックが前記スライドロッドと固定的に装着され、化粧ポーチが開けられた時、左右の前記スライドブロックが互いに近づき、前記連結ロッドを連動させて上へ移動させ、それにより前記推し動かし板が上へ移動し、推し動かし板に置かれる化粧品を上へ推し動かし、左右の前記スライドチャンバの後側には動力チャンバが連通するように設置され、前記動力チャンバの中には前記スライドブロックの移動に動力を提供できる動力機構が設置され、前記動力機構は前記動力チャンバの中にスライドできるように装着される引きブロックを含み、前記引きブロックの頂部端面と前記動力チャンバの頂壁との間には前記推し動かし板の復帰に動力を提供する第二ばねが固定的に装着され、前記主体チャンバの左右両側の内壁には固定ブロックが固定的に装着され、前記固定ブロックの頂部端面には移動溝が設置され、前記移動溝には置き箱がスライドできるように装着され、前記置き箱の中には上方に開口し、且つ化粧品を置ける置きチャンバが設置され、前記固定ブロックの中には前記置き箱を連動させて左右へ移動させることができ、
前記動力機構はまた前記引きブロックに前後対称的に回転できるように装着される補助ロッドを含み、前記補助ロッドと前記スライドブロックとがヒンジによって連結され、前記主体の頂部端面には上方に開口した補助チャンバが設置され、前記補助チャンバの左右内壁の間には動力ロッドが回転できるように装着され、前記動力ロッドには前記主体の上側に位置するカバーが固定的に装着され、前記カバーの中には下方に開口したカバーチャンバが設置され、前記動力ロッドと前記引きブロックとの間には第一引き紐が固定的に装着され、前記カバーを開けた時、前記動力ロッドを回転連動させ、前記動力ロッドが回転して前記第一引き紐により前記引きブロックを引き動かして上へ移動させ、前記補助ロッドにより前記スライドブロックを移動連動させ、
前記移動機構は前記固定ブロックの底部端面に設置されるばねチャンバを含み、前記ばねチャンバの中には引っかかりブロックがスライドできるように装着され、前記引っかかりブロックの頂部端面と前記ばねチャンバの頂壁との間には第三ばねが固定的に装着され、前記推し動かし板の頂部端面には引っ掛かり溝が左右対称的に設置され、前記引っ掛かり溝が前記引っかかりブロックと植設され、前記固定ブロックの底部端面にはラックチャンバが設置され、前記ラックチャンバの中にはラックがスライドできるように装着され、前記ラックと前記推し動かし板とが固定的に連結され、前記ラックチャンバには噛み合いチャンバが連通するように設置され、前記噛み合いチャンバの前後内壁の間にはギヤロッドが回転できるように装着され、前記ギヤロッドにはギヤが固定的に装着され、前記ギヤが前記ラックと噛み合い、前記噛み合いチャンバのうち前記ギヤの前側に位置するところには回転盤が固定的に装着され、前記噛み合いチャンバの上方には引き紐チャンバが連通するように設置され、前記引き紐チャンバの前後内壁の間には糸巻きロッドが回転できるように装着され、前記糸巻きロッドにはリールが固定的に装着され、前記引き紐チャンバにはギヤブロックチャンバが連通するように設置され、前記ギヤブロックチャンバの中にはギヤブロックがスライドできるように装着され、前記ギヤブロックと前記回転盤との間には前記リールとスライド可能に連結された第二引き紐が固定的に装着され、前記ギヤブロックの頂部端面が前記置き箱の底部端面と噛み合い、前記置き箱の前後両側端面にはリミットロッドが左右対称的に固定的に装着され、前記移動溝にはリミット溝が前後に連通するように設置され、前記リミット溝が前記リミットロッドとスライドできるように装着され、前記推し動かし板が上下に移動する時、前記ラックを連動させて上下へ移動させ、それにより前記ギヤを回転させ、前記ギヤが回転して前記ギヤロッドと前記回転盤とを回転連動させ、前記第二引き紐により前記ギヤブロックを引き動かして左右へ移動させ、それにより前記置き箱が左右に移動することを特徴とする出し入れ便利な化粧ポーチ。
【手続補正２】
【補正対象書類名】明細書
【補正対象項目名】全文
【補正方法】変更
【補正の内容】
【発明の詳細な説明】
【技術分野】
【０００１】
本発明は化粧ポーチ分野に関わり、具体的には出し入れ便利な化粧ポーチである。
【背景技術】
【０００２】
普通の化粧ポーチは全部の化粧品を混ぜて一緒に収納するので、特定の化粧品を取り出す時に時間がかなりかかり、化粧品を分別して保存することができなく、普通の化粧ポーチを開ける時、化粧品を化粧ポーチから送り出すころができなく、それで底部に置かれる化粧品があまり見えなく、見分けにくい。
【先行技術文献】
【特許文献】
【０００３】
【特許文献１】中国特許出願公開第１０８４５１１２７号明細書
【発明の概要】
【発明が解決しようとする課題】
【０００４】
本発明は出し入れ便利な化粧ポーチを提供し、既存技術にある上記の欠点を解消することを目的とする。
【課題を解決するための手段】
【０００５】
本発明の出し入れ便利な化粧ポーチは、主体を含み、前記主体の中には上方に開口した主体チャンバが設置され、前記主体チャンバの底壁の中には上方に開口したスライドチャンバが左右対称的に設置され、前記スライドチャンバの中にはスライドブロックがスライドできるように装着され、前記スライドブロックと前記スライドチャンバとの間には第一ばねが固定的に装着され、前記スライドブロックの前側端面には回転ロッドが固定的に装着され、前記回転ロッドには連結ロッドが回転できるように装着され、前記主体チャンバの前後内壁にはスライド溝が左右対称的に設置され、前記スライドロッドが前記スライド溝の内部にスライド可能に装着され、前記スライドロッドが前記連結ロッドと回転できるように装着され、前記主体チャンバの中には推し動かし板がスライドできるように装着され、前記推し動かし板の底部端面には推し動かしブロックが左右対称的に固定的に装着され、前記推し動かしブロックが前記スライドロッドと固定的に装着され、化粧ポーチが開けられた時、左右の前記スライドブロックが互いに近づき、前記連結ロッドを連動させて上へ移動させ、それにより前記推し動かし板が上へ移動し、推し動かし板に置かれる化粧品を上へ推し動かし、左右の前記スライドチャンバの後側には動力チャンバが連通するように設置され、前記動力チャンバの中には前記スライドブロックの移動に動力を提供できる動力機構が設置され、前記動力機構は前記動力チャンバの中にスライドできるように装着される引きブロックを含み、前記引きブロックの頂部端面と前記動力チャンバの頂壁との間には前記推し動かし板の復帰に動力を提供する第二ばねが固定的に装着され、前記主体チャンバの左右両側の内壁には固定ブロックが固定的に装着され、前記固定ブロックの頂部端面には移動溝が設置され、前記移動溝には置き箱がスライドできるように装着され、前記置き箱の中には上方に開口し、且つ化粧品を置ける置きチャンバが設置され、前記固定ブロックの中には前記置き箱を連動させて左右へ移動させることができる移動機構が設置される。
【０００６】
さらなる技術プランには、前記動力機構はまた前記引きブロックに前後対称的に回転できるように装着される補助ロッドを含み、前記補助ロッドと前記スライドブロックとがヒンジによって連結され、前記主体の頂部端面には上方に開口した補助チャンバが設置され、前記補助チャンバの左右内壁の間には動力ロッドが回転できるように装着され、前記動力ロッドには前記主体の上側に位置するカバーが固定的に装着され、前記カバーの中には下方に開口したカバーチャンバが設置され、前記動力ロッドと前記引きブロックとの間には第一引き紐が固定的に装着される。
【０００７】
さらなる技術プランには、前記移動機構は前記固定ブロックの底部端面に設置されるばねチャンバを含み、前記ばねチャンバの中には引っかかりブロックがスライドできるように装着され、前記引っかかりブロックの頂部端面と前記ばねチャンバの頂壁との間には第三ばねが固定的に装着され、前記推し動かし板の頂部端面には引っ掛かり溝が左右対称的に設置され、前記引っ掛かり溝が前記引っかかりブロックと植設され、前記固定ブロックの底部端面にはラックチャンバが設置され、前記ラックチャンバの中にはラックがスライドできるように装着され、前記ラックと前記推し動かし板とが固定的に連結され、前記ラックチャンバには噛み合いチャンバが連通するように設置され、前記噛み合いチャンバの前後内壁の間にはギヤロッドが回転できるように装着され、前記ギヤロッドにはギヤが固定的に装着され、前記ギヤが前記ラックと噛み合い、前記噛み合いチャンバのうち前記ギヤの前側に位置するところには回転盤が固定的に装着され、前記噛み合いチャンバの上方には引き紐チャンバが連通するように設置され、前記引き紐チャンバの前後内壁の間には糸巻きロッドが回転できるように装着され、前記糸巻きロッドにはリールが固定的に装着され、前記引き紐チャンバにはギヤブロックチャンバが連通するように設置され、前記ギヤブロックチャンバの中にはギヤブロックがスライドできるように装着され、前記ギヤブロックと前記回転盤との間には前記リールとスライド可能に連結された第二引き紐が固定的に装着され、前記ギヤブロックの頂部端面が前記置き箱の底部端面と噛み合い、前記置き箱の前後両側端面にはリミットロッドが左右対称的に固定的に装着され、前記移動溝にはリミット溝が前後に連通するように設置され、前記リミット溝が前記リミットロッドとスライドできるように装着される。
【発明の効果】
【０００８】
本発明の有益な効果は：本発明の置きチャンバの中と推し動かし板の頂部にそれぞれ異なるタイプの化粧品を置くことができ、化粧品を分別して置き、出し入れにもっと便利であり、化粧ポーチを開けた時、推し動かし板を連動させて上へ移動させ、置き箱を連動させて水平方向に移動させることができ、それにより化粧品が明るいところに置かれ、見分けることと見つけ出すことが便利であり、普及する価値がある。
【図面の簡単な説明】
【０００９】
【図１】図１は本発明の出し入れ便利な化粧ポーチの構成模式図
【図２】図２は図１の中の「Ａ−Ａ」方向の断面構成概略図
【図３】図３は図１の中のＢの拡大概略図
【発明を実施するための形態】
【００１０】
次に図１−３を合わせて本発明を詳しく説明し、意思の疎通にもっと便利なため、後文に出る方位を以下の通りに規定する：後文に出る上下左右前後の方向は図１自体の投影関係の上下左右前後の方向と一致している。
【００１１】
図１−３を参照して、本発明の出し入れ便利な化粧ポーチは、主体１３を含み、前記主体１３の中には上方に開口した主体チャンバ１６が設置され、前記主体チャンバ１６の底壁の中には上方に開口したスライドチャンバ１７が左右対称的に設置され、前記スライドチャンバ１７の中にはスライドブロック１８がスライドできるように装着され、前記スライドブロック１８と前記スライドチャンバ１７との間には第一ばね２１が固定的に装着され、前記スライドブロック１８の前側端面には回転ロッド１９が固定的に装着され、前記回転ロッド１９には連結ロッド２０が回転できるように装着され、前記主体チャンバ１６の前後内壁にはスライド溝２２が左右対称的に設置され、前記スライドロッド２３が前記スライド溝２２の内部にスライド可能に装着され、前記スライドロッド２３が前記連結ロッド２０と回転できるように装着され、前記主体チャンバ１６の中には推し動かし板１５がスライドできるように装着され、前記推し動かし板１５の底部端面には推し動かしブロック２４が左右対称的に固定的に装着され、前記推し動かしブロック２４が前記スライドロッド２３と固定的に装着され、化粧ポーチが開けられた時、左右の前記スライドブロック１８が互いに近づき、前記連結ロッド２０を連動させて上へ移動させ、それにより前記推し動かし板１５が上へ移動し、推し動かし板１５に置かれる化粧品を上へ推し動かし、左右の前記スライドチャンバ１７の後側には動力チャンバ３５が連通するように設置され、前記動力チャンバ３５の中には前記スライドブロック１８の移動に動力を提供できる動力機構８０が設置され、前記動力機構８０は前記動力チャンバ３５の中にスライドできるように装着される引きブロック３６を含み、前記引きブロック３６の頂部端面と前記動力チャンバ３５の頂壁との間には前記推し動かし板１５の復帰に動力を提供する第二ばね３４が固定的に装着され、前記主体チャンバ１６の左右両側の内壁には固定ブロック２７が固定的に装着され、前記固定ブロック２７の頂部端面には移動溝５１が設置され、前記移動溝５１には置き箱１２がスライドできるように装着され、前記置き箱１２の中には上方に開口し、且つ化粧品を置ける置きチャンバ１１が設置され、前記固定ブロック２７の中には前記置き箱１２を連動させて左右へ移動させることができる移動機構９０が設置される。
【００１２】
前記動力機構８０はまた前記引きブロック３６に前後対称的に回転できるように装着される補助ロッド３７を含み、前記補助ロッド３７と前記スライドブロック１８とがヒンジによって連結され、前記主体１３の頂部端面には上方に開口した補助チャンバ３２が設置され、前記補助チャンバ３２の左右内壁の間には動力ロッド２８が回転できるように装着され、前記動力ロッド２８には前記主体の上側に位置するカバー３１が固定的に装着され、前記カバー３１の中には下方に開口したカバーチャンバ２９が設置され、前記動力ロッド２８と前記引きブロック３６との間には第一引き紐３３が固定的に装着され、それによりカバー３１を開けた時、動力ロッド２８を回転連動させ、動力ロッド２８が回転して第一引き紐３３により引きブロック３６を引き動かして上へ移動させ、補助ロッド３７によりスライドブロック１８を移動連動させる。
【００１３】
前記移動機構９０は前記固定ブロック２７の底部端面に設置されるばねチャンバ４７を含み、前記ばねチャンバ４７の中には引っかかりブロック２５がスライドできるように装着され、前記引っかかりブロック２５の頂部端面と前記ばねチャンバ４７の頂壁との間には第三ばね４８が固定的に装着され、前記推し動かし板１５の頂部端面には引っ掛かり溝１４が左右対称的に設置され、前記引っ掛かり溝１４が前記引っかかりブロック２５と植設され、前記固定ブロック２７の底部端面にはラックチャンバ４６が設置され、前記ラックチャンバ４６の中にはラック２６がスライドできるように装着され、前記ラック２６と前記推し動かし板１５とが固定的に連結され、前記ラックチャンバ４６には噛み合いチャンバ４５が連通するように設置され、前記噛み合いチャンバ４５の前後内壁の間にはギヤロッド４２が回転できるように装着され、前記ギヤロッド４２にはギヤ４４が固定的に装着され、前記ギヤ４４が前記ラック２６と噛み合い、前記噛み合いチャンバ４５のうち前記ギヤ４４の前側に位置するところには回転盤４３が固定的に装着され、前記噛み合いチャンバ４５の上方には引き紐チャンバ４０が連通するように設置され、前記引き紐チャンバ４０の前後内壁の間には糸巻きロッド３８が回転できるように装着され、前記糸巻きロッド３８にはリール３９が固定的に装着され、前記引き紐チャンバ４０にはギヤブロックチャンバ５３が連通するように設置され、前記ギヤブロックチャンバ５３の中にはギヤブロック４９がスライドできるように装着され、前記ギヤブロック４９と前記回転盤４３との間には前記リール３９とスライド可能に連結された第二引き紐４１が固定的に装着され、前記ギヤブロック４９の頂部端面が前記置き箱１２の底部端面と噛み合い、前記置き箱１２の前後両側端面にはリミットロッド５０が左右対称的に固定的に装着され、前記移動溝５１にはリミット溝５２が前後に連通するように設置され、前記リミット溝５２が前記リミットロッド５０とスライドできるように装着され、それにより推し動かし板１５が上下に移動する時、ラック２６を連動させて上下へ移動させ、それによりギヤ４４を回転させ、ギヤ４４が回転してギヤロッド４２と回転盤４３とを回転連動させ、第二引き紐４１によりギヤブロック４９を引き動かして左右へ移動させ、それにより置き箱１２が左右に移動する。
【００１４】
使用する時、カバー３１を開ける時、動力ロッド２８を回転連動させ、動力ロッド２８が回転して第一引き紐３３により引きブロック３６を引き動かして上へ移動させ、補助ロッド３７によりスライドブロック１８を移動連動させ、左右の前記スライドブロック１８が互いに近づき、前記連結ロッド２０を連動させて上へ移動させ、それにより前記推し動かし板１５が上へ移動し、推し動かし板１５に置かれる化粧品を上へ推し動かし、推し動かし板１５が上下に移動する時、ラック２６を連動させて上下へ移動させ、それによりギヤ４４を回転させ、ギヤ４４が回転してギヤロッド４２と回転盤４３とを回転連動させ、第二引き紐４１によりギヤブロック４９を引き動かして左右へ移動させ、それにより置き箱１２が左右に移動する。
【００１５】
本発明の有益な効果は：本発明の置きチャンバの中と推し動かし板の頂部にそれぞれ異なるタイプの化粧品を置くことができ、化粧品を分別して置き、出し入れにもっと便利であり、化粧ポーチを開けた時、推し動かし板を連動させて上へ移動させ、置き箱を連動させて水平方向に移動させることができ、それにより化粧品が明るいところに置かれ、見分けることと見つけ出すことが便利であり、普及する価値がある。
【００１６】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。